【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
始動条件が成立した後に開始条件が成立したことに基づいて、各々が識別可能な複数種類の識別情報を可変表示する可変表示装置を備え、前記識別情報の可変表示結果が予め定められた特定表示結果となった後に、遊技者にとって有利な特定遊技状態に制御する遊技機であって、
遊技者にとって有利な第１状態と遊技者にとって不利な第２状態とに変化する可変入賞装置と、
前記識別情報の可変表示結果が予め定められた特定表示結果となった後に、前記特定遊技状態として、前記可変入賞装置を所定期間が経過するまで前記第１状態に変化させる制御を所定回実行可能な特定遊技状態制御手段と、
前記特定遊技状態に制御するか否かと、前記特定遊技状態の種類とを、前記識別情報の可変表示結果が導出表示される以前に決定する事前決定手段と、
前記事前決定手段による決定結果に基づいて、前記識別情報の可変表示パターンを決定する可変表示パターン決定手段と、
前記事前決定手段による決定結果に基づいて、前記識別情報の可変表示中に所定の予告演出動作を実行するか否かを決定する予告演出決定手段と、
前記識別情報の可変表示中に、前記可変表示パターン決定手段の決定結果に対応する可変表示演出を実行するとともに、前記予告演出決定手段によって前記予告演出動作を実行する決定がなされたときには該予告演出動作を実行し、前記特定遊技状態において、前記事前決定手段の決定結果に対応する特定遊技状態演出を実行する演出実行手段とを備え、
前記事前決定手段は、前記所定期間が第１期間となる第１特定遊技状態と、前記所定期間が前記第１期間よりも短い第２期間となる第２特定遊技状態と、前記所定期間として前記第２期間が経過するまで前記第１状態に変化させる制御が行われた後に前記所定期間として前記第１期間が経過するまで前記第１状態に変化させる制御が行われる第３特定遊技状態とを含む複数種類のうちから、前記特定遊技状態の種類を決定し、
前記演出実行手段は、
前記事前決定手段によって前記特定遊技状態の種類を前記第１特定遊技状態とする決定がなされたときに、前記識別情報の可変表示中に前記可変表示パターン決定手段によって決定された可変表示パターンに対応する特定の可変表示演出を実行した後、前記特定遊技状態において特定の特定遊技状態演出を実行し、
前記事前決定手段によって前記特定遊技状態の種類を前記第２特定遊技状態とする決定がなされたときに、前記識別情報の可変表示中及び前記特定遊技状態にわたって、前記特定の可変表示演出及び前記特定の特定遊技状態演出とは異なる一連の特殊演出を実行し、
前記事前決定手段によって前記特定遊技状態の種類を前記第３特定遊技状態とする決定がなされたときに、前記識別情報の可変表示中及び前記特定遊技状態の前記第２期間にわたって前記一連の特殊演出を実行し、該特殊演出の終了から前記特定の特定遊技状態演出を実行し、
前記予告演出決定手段は、前記事前決定手段によって前記特定遊技状態の種類を前記第２特定遊技状態とする決定がなされたときと、前記第３特定遊技状態とする決定がなされたときとで、同一の割合で前記予告演出動作を実行することを決定する、
ことを特徴とする遊技機。
【手続補正２】
【補正対象書類名】明細書
【補正対象項目名】００１０
【補正方法】変更
【補正の内容】
【００１０】
上記目的を達成するため、本願の請求項１に記載の遊技機は、始動条件（例えばステップＳ２０１におけるＹｅｓの判定とステップＳ２０２におけるＮｏの判定に基づき、ステップＳ２０３〜Ｓ２０９の処理が実行されたこと、あるいは、ステップＳ２１０におけるＹｅｓの判定とステップＳ２１１におけるＮｏの判定に基づき、ステップＳ２１２〜Ｓ２１８の処理が実行されたことなど）が成立した後に開始条件が成立したこと（例えばステップＳ２３１にてＮｏと判定されたことなど）に基づいて、各々が識別可能な複数種類の識別情報（例えば飾り図柄など）を可変表示する可変表示装置（例えば画像表示装置５など）を備え、前記識別情報の可変表示結果が予め定められた特定表示結果（例えば大当り図柄や、大当り組合せとなる最終停止図柄など）となった後に、遊技者にとって有利な特定遊技状態（例えば大当り遊技状態など）に制御する遊技機（例えばパチンコ遊技機１など）であって、遊技者にとって有利な第１状態と遊技者にとって不利な第２状態とに変化する可変入賞装置（例えば特別可変入賞球装置７など）と、前記識別情報の可変表示結果が予め定められた特定表示結果となった後に、前記特定遊技状態として、前記可変入賞装置を所定期間が経過するまで前記第１状態に変化させる制御を所定回実行可能な特定遊技状態制御手段（例えばＣＰＵ１０３がステップＳ１１４〜Ｓ１１７の処理を実行する部分など）と、前記特定遊技状態に制御するか否かと、前記特定遊技状態の種類とを、前記識別情報の可変表示結果が導出表示される以前に決定する事前決定手段（例えばＣＰＵ１０３がステップＳ２３８及びＳ２３９の処理、あるいは、ステップＳ２４５及びＳ２４６の処理を実行した後に、ステップＳ２４８及びＳ２４９の処理を実行する部分など）と、前記事前決定手段による決定結果に基づいて、前記識別情報の可変表示パターンを決定する可変表示パターン決定手段（例えばＣＰＵ１０３がステップＳ２６１〜Ｓ２７６の処理を実行する部分など）と、前記事前決定手段による決定結果に基づいて、前記識別情報の可変表示中に所定の予告演出動作を実行するか否かを決定する予告演出決定手段と、前記識別情報の可変表示中に、前記可変表示パターン決定手段の決定結果に対応する可変表示演出を実行するとともに、前記予告演出決定手段によって前記予告演出動作を実行する決定がなされたときには該予告演出動作を実行し、前記特定遊技状態において、前記事前決定手段の決定結果に対応する特定遊技状態演出を実行する演出実行手段（例えば演出制御基板１２に搭載された演出制御用ＣＰＵ１２０がステップＳ４０６の演出制御処理を実行する部分など）とを備え、前記事前決定手段は、前記所定期間が第１期間（例えば２９．５秒間など）となる第１特定遊技状態（例えば通常大当り、第１確変〜第３確変の大当り種別など）と、前記所定期間が前記第１期間よりも短い第２期間（例えば０．５秒間など）となる第２特定遊技状態（例えば突確の大当り種別など）と、前記所定期間として前記第２期間が経過するまで前記第１状態に変化させる制御（例えば１ラウンド目の１回目の開放制御など）が行われた後に前記所定期間として前記第１期間が経過するまで前記第１状態に変化させる制御（例えば２ラウンド目〜１５ラウンド目の開放制御など）が行われる第３特定遊技状態（例えば第４確変の大当り種別など）とを含む複数種類のうちから、前記特定遊技状態の種類を決定し、前記演出実行手段は、前記事前決定手段によって前記特定遊技状態の種類を前記第１特定遊技状態とする決定がなされたときに、前記識別情報の可変表示中に前記可変表示パターン決定手段によって決定された可変表示パターンに対応する特定の可変表示演出を実行した後、前記特定遊技状態において特定の特定遊技状態演出を実行し（例えば演出制御用ＣＰＵ１２０は、ステップＳ１６２の飾り図柄変動中処理にて図６６〜図６８に示す画像表示などを実行した後、ステップＳ１６４の大当り制御中演出処理にて図６９に示す画像表示などを実行し）、前記事前決定手段によって前記特定遊技状態の種類を前記第２特定遊技状態とする決定がなされたときに、前記識別情報の可変表示中及び前記特定遊技状態にわたって、前記特定の可変表示演出及び前記特定の特定遊技状態演出とは異なる一連の特殊演出を実行し（例えば演出制御用ＣＰＵ１２０は、ステップＳ１６２の飾り図柄変動中処理及びステップＳ１６４の大当り制御中演出処理にて図７１に示す画像表示などを実行し）、前記事前決定手段によって前記特定遊技状態の種類を前記第３特定遊技状態とする決定がなされたときに、前記識別情報の可変表示中及び前記特定遊技状態の前記第２期間にわたって前記一連の特殊演出を実行し、該特殊演出の終了から前記特定の特定遊技状態演出を実行し（例えば演出制御用ＣＰＵ１２０は、ステップＳ１６２の飾り図柄変動中処理及びステップＳ１６４の大当り制御中演出処理にて図７３に示す画像表示などを実行する）、前記予告演出決定手段は、前記事前決定手段によって前記特定遊技状態の種類を前記第２特定遊技状態とする決定がなされたときと、前記第３特定遊技状態とする決定がなされたときとで、同一の割合で前記予告演出動作を実行することを決定する、ことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】